(57)【要約】【課題】処理物の状態によって負荷が重くなった場合、ロックが発生する前に正常と異常の判断を誤る可能性があった。【解決手段】処理槽２内の厨芥と処理媒質を撹拌混合する撹拌手段４と、撹拌手段４の回転毎に検出信号を発生して撹拌手段４の回転を検出する撹拌回転検出手段１０と、予め設定された撹拌手段動作時間中に検出される前記撹拌回転検出手段１０からの検出信号が所定の回数未満であった場合に撹拌動作を延長する制御部１３とを備えた構成としてある。これにより、処理物の状態による撹拌負荷の変動によるロックの誤判断を回避し、撹拌の異常検知を正しく行なうことができる。【選択図】図１
2005305350.tif 000002
【特許請求の範囲】
【請求項１】
微生物を培養する処理媒質を収容する処理槽と、処理槽内の厨芥と処理媒質を撹拌混合する撹拌手段と、撹拌手段の回転毎に検出信号を発生して撹拌手段の回転を検出する撹拌回転検出手段と、予め設定された撹拌手段動作時間中に検出される前記撹拌回転検出手段からの検出信号が所定の回数未満であった場合に撹拌動作を延長する制御部とを備えた生ごみ処理機。
【請求項２】
制御部は、撹拌動作延長中に撹拌回転検出手段からの検出信号が所定回数に達した時に撹拌を停止する構成とした請求項１記載の生ごみ処理機。
【請求項３】
制御部は、撹拌延長によっても撹拌回転検出手段からの検出信号が所定回数未満であった場合、撹拌異常と判断してこれを報知する構成とした請求項１又は２記載の生ごみ処理機。
【請求項４】
制御部は、撹拌延長によっても撹拌回転検出手段からの検出信号が所定回数未満である状態が所定の回数連続して発生した場合にこれを報知する構成とした請求項１又は２記載の生ごみ処理機。
【請求項５】
制御部は、撹拌延長によっても撹拌回転検出手段からの検出信号が所定回数未満であった場合、撹拌周期を短くする構成とした請求項１又は２記載の生ごみ処理機。
【発明の詳細な説明】
【技術分野】
【０００１】
本発明は、微生物分解処理方式により食品などの生ごみを分解処理する生ごみ処理機に関するものである。
【背景技術】
【０００２】
従来の生ごみ処理機においては、厨芥を分解処理する微生物を培養する処理媒質を収容する処理槽と、処理槽内の厨芥と処理媒質を撹拌混合する撹拌手段と、撹拌手段を回転駆動する撹拌手段を備え、一定時間毎に撹拌手段を駆動することにより処理槽内の処理物を撹拌混合しているが、処理物の状態によって撹拌手段がロックした場合、処理槽内の有機物の分解処理が進まなくなる可能性があり、このため撹拌手段の回転を検出することにより撹拌が行われているか否かを判断する構成が考えられている（例えば、特許文献１参照）。
【特許文献１】特開平１１−３０９４３２号公報
【発明の開示】
【発明が解決しようとする課題】
【０００３】
しかしながら前記従来の構成は、撹拌のロックを検出する際に、処理物の状態によって負荷が重くなった場合、完全ロックでないにも関らず誤ってロック検出してしまう可能性があった。
【０００４】
本発明は、前記従来の課題を解決するもので、撹拌手段の負荷が重くなった場合の状態においてもロック検出の信頼性を確保する手段を提供するものである。
【課題を解決するための手段】
【０００５】
前記従来の課題を解決するために本発明は、処理槽内の厨芥と処理媒質を撹拌混合する撹拌手段と、撹拌手段の回転毎に検出信号を発生して撹拌手段の回転を検出する撹拌回転検出手段と、予め設定された撹拌手段動作時間中に検出される前記撹拌回転検出手段からの検出信号が所定の回数未満であった場合に撹拌動作を延長する制御部とを備えた構成としてある。
【０００６】
これにより、処理物の状態による撹拌負荷の変動によるロックの誤判断を回避し、撹拌の異常検知を正しく行なうことが出来るものである。
【発明の効果】
【０００７】
本発明の生ごみ処理機は、処理物の状態によって撹拌手段の負荷が重くなった場合においてもロック検知までの時間を延長するので軽負荷の時と同等の回転回数を確保して所定量の撹拌をさせることが出来できるとともに、このような負荷が重くなって撹拌手段の回転が遅くなったときにロックと検知することがなくなってロック検出の信頼性を確保することが出来る。
【発明を実施するための最良の形態】
【０００８】
第１の発明は、微生物を培養する処理媒質を収容する処理槽と、処理槽内の厨芥と処理媒質を撹拌混合する撹拌手段と、撹拌手段の回転毎に検出信号を発生して撹拌手段の回転を検出する撹拌回転検出手段と、予め設定された撹拌手段動作時間中に検出される前記撹拌回転検出手段からの検出信号が所定の回数未満であった場合に撹拌動作を延長する制御部とを備えた構成としてある。これにより、撹拌手段の一定の回転時間の間に撹拌回転検出手段が異常を検知した場合、撹拌手段の回転時間を予め設定された時間まで延長し撹拌動作の継続を図るようになり、処理物の状態による撹拌負荷の変動によるロックの誤判断を回避し、撹拌の異常検知を正しく行なうことが出来てその信頼性が向上するものである。
【０００９】
第２の発明は、撹拌動作延長中に撹拌回転検出手段からの検出信号が所定回数に達した時に撹拌を停止する構成の制御部としてあり、負荷変動によって撹拌手段の回転数が低下した時でも撹拌手段の回転回数を一定として所定量の撹拌を確保することが出来る。
【００１０】
第３の発明は、撹拌延長によっても撹拌回転検出手段からの検出信号が所定回数未満であった場合、撹拌異常と判断してこれを報知する制御部としてあり、撹拌動作を延長しても撹拌回転検出手段が異常を検知した場合、使用者に撹拌の異常を通知し、ロック解消の適切な処置をとることが出来る。
【００１１】
第４の発明は、撹拌延長によっても撹拌回転検出手段からの検出信号が所定回数未満である異常状態が所定の回数連続して発生した場合にこれを報知する制御部としてあり、撹拌回転検出手段が異常を検知した場合、例えば撹拌の異常となった異常回数をカウントし、そのカウント値が所定回数以上となった場合に撹拌の異常を報知するから、撹拌動作を繰り返すことによってロックが解消され自然復帰する場合に、異常表示となることを防ぐことが出来る。
【００１２】
第５の発明は、特に第４の発明で、撹拌延長によっても撹拌回転検出手段からの検出信号が所定回数未満であった場合、撹拌周期を短くする制御部としてあり、撹拌の異常となった場合に撹拌周期を短縮することによって撹拌動作の繰り返しによるロック解除を促すことが出来る。
【００１３】
以下、本発明の実施の形態について、図面を参照しながら説明する。尚、この実施の形態によって本発明が限定されるものではない。
【００１４】
（実施の形態１）
以下本発明の実施の形態１について図１及び図２を参照しながら説明する。図１は本発明の実施の形態１における生ごみ処理機の断面図、図２は同実施の形態の動作を示すフローチャートである。なお、この実施の形態によって本発明が限定されるものではない。
【００１５】
図１において、生ごみ処理機本体１の内部には厨芥を分解処理する微生物を培養する処理媒質を収容する処理槽２を設け、上方に蓋３を備え、蓋３を開放して厨芥の投入ができるようになっている。撹拌手段４は撹拌棒４ａとこれを回転駆動させる撹拌モータ５とで構成され、処理槽２内の厨芥および処理媒質を撹拌するものである。加熱手段６は処理槽２の外壁に貼り付けられており、必要に応じて加熱し、処理槽２を所定の温度に保持する。また、吸気口７から外気（酸素）を処理槽２に取り込み、厨芥を分解処理する微生物の活性化を図ると共に、排気口８から排気送風装置９により、厨芥の分解処理の際に発生するガスを排出する。湿度検出手段１２は厨芥及び処理媒質を含む処理槽２内の湿度の検出を行なう。
【００１６】
撹拌動作は、湿度検出手段１２によって検出した厨芥及び処理媒質を含む処理槽２内の湿度によって制御され、湿度が高い場合は厨芥の分解を促進するために撹拌周期を短く、逆に湿度が低い場合は処理媒質の乾燥を抑制するために撹拌周期を長くするように設定して、撹拌モータを撹拌周期が経過する毎に正転、逆転動作を交互に行うことで厨芥と処理媒質を撹拌混合する。１３は制御部で、以下に示すような制御を行うものである。
【００１７】
すなわち、図２は生ごみ処理機の制御装置の第１の例の動作を示すフローチャートであるり、この制御部１３は、ステップ１で湿度検出手段12からの出力に基づいて撹拌周期を設定し、ステップ２で撹拌モータ５の動作開始後の経過時間を所定時間と比較し、ステップ３で所定時間が延長済か判定を行なう。所定時間以内かつ延長前であればステップ４で撹拌モータをＯＮさせる。その後、ステップ５で撹拌回転検出手段１０からの信号の判定を行なう。信号を検出した場合はステップ６で回転検知回数をカウントする。その後ステップ２に戻り所定時間が経過するまで同様の動作を繰り返す。
【００１８】
所定時間が経過した場合、ステップ７で回転検知回数を所定回数、例えば２回以上と比較し、所定回数以下の場合は、ステップ８で前記所定時間が延長済か判定を行ない、延長前であればステップ９で時間を延長した後に、再度ステップ２に戻る。ステップ８で動作時間設定が既に延長済の場合、ステップ１０で撹拌ロックの判定を行なう。
【００１９】
一方、ステップ７で回転検知回数が所定回数以上の場合は、撹拌は正常に行なわれたと判断し、ステップ１１で撹拌が正常と判定する。
【００２０】
ステップ１０又はステップ１１の後、ステップ１２で撹拌モータをＯＦＦする。
【００２１】
以上の動作により、撹拌の動作中に処理物の状態により撹拌モータ負荷が重くなって撹拌手段の回転数が遅くなり、動作時間内に撹拌回転検出手段からの検出信号の発生が遅れた場合においても回転検知の誤判断を防ぐことが出来る。
【００２２】
又、撹拌動作の所定時間を延長した場合、撹拌回転検出手段からの検知信号が所定回数となった場合に撹拌正常と判断するため、撹拌モータの回転数が低下した時でも撹拌手段の回転回数を一定とすることが出来る。
【００２３】
（実施の形態２）
図３は、生ごみ処理機の制御部の第２の例の動作を示すフローチャートである。
【００２４】
尚上記実施の形態1と同一制御の部分はフローチャートに同一符号を付し、その説明を省略する。
【００２５】
ステップ１０で撹拌ロックの判定を行なった場合はステップ１３で撹拌周期を短縮し、ステップ１５で延長時間以内に撹拌回転検出手段からの検出信号が検出されなかった異常回数を撹拌ロック判定回数としてカウントする。また、ステップ１１で撹拌が正常と判定された場合はステップ１４で撹拌周期を処理槽の湿度によって決定した通常の周期に復帰させ、ステップ１６で撹拌ロック判定回数をクリアする。その後、ステップ１７で撹拌ロック判定となった異常回数が所定回数以上の場合、ステップ１８で表示手段による異常表示を開始する。また、所定回数未満の場合は、ステップ１９で表示手段の異常表示を終了する。
【００２６】
以上の動作により、生ごみ処理機の使用者に撹拌の異常を通知し、ロック解消の適切な処置をとることが出来る。
【００２７】
又、撹拌動作を繰り返すことによってロックが解消され自然復帰する場合には異常表示となることを防ぐことが出来る。
【００２８】
又、撹拌ロックの判定を行った場合、撹拌周期を短縮することで撹拌の動作回数を増やすので、自然復帰する場合の時間を短縮することが出来る。
【００２９】
なお、上記各実施の形態においては異常判定した場合に表示手段でこれを表示するようにしたが、これは例えば音等で報知するようにしても良いものである。
【産業上の利用可能性】
【００３０】
以上のように、本発明によれば撹拌のロックの検知を精度よく行なうとともに、負荷の変動に対して適切な撹拌時間を設定することができ、ロック検知の信頼性が高い生ごみ処理機を構成することが出来る。
【図面の簡単な説明】
【００３１】
【図１】本発明の実施の形態１における生ごみ処理機の断面図
【図２】同生ごみ処理機の動作を示すフローチャート
【図３】同実施の形態２における生ごみ処理機の動作を示すフローチャート
【符号の説明】
【００３２】
１  生ごみ処理機本体
２  処理槽
３  蓋
４  撹拌手段
５  撹拌モータ
６  加熱手段
７  吸気口
８  排気口
９  排気送風装置
１０  撹拌回転検出手段
１１  蓋スイッチ
１２  湿度検出手段
１３  制御手段
【図１】
2005305350.tif 000003
【図２】
2005305350.tif 000004
【図３】
2005305350.tif 000005